(57)【要約】【課題】施工現場で簡単に組み立て可能で、輸送コストが軽減できる電波吸収体を提供すること。【解決手段】多角形形状を持つ板状の成型体２を、接着剤や粘着材を使用することなく、組み立ててピラミッド型或いは楔型に形成されている、電波を吸収する、電波吸収体。【選択図】図１
2005109161.tif 000002
【特許請求の範囲】
【請求項１】
多角形形状を持つ板状の成型体を、接着剤や粘着材を使用することなく、組み立ててピラミッド型或いは楔型に形成してある、電波を吸収する、電波吸収体。
【請求項２】
請求項１に記載の電波吸収体において、
成型体の一方の端部が突起部を有し、他方の端部が溝部を有し、突起部が溝部に嵌め込まれた状態でピラミッド型或いは楔型に形成してあることを特徴とする、電波吸収体。
【請求項３】
請求項１に記載の電波吸収体において、
ピラミッド型或いは楔型の先端部分が樹脂製或いは非金属製の先端部カバーで覆われ、先端部分が開かないように固定してあることを特徴とする、電波吸収体。
【請求項４】
請求項１に記載の電波吸収体において、
１枚の成型体が中央部で折り曲げられて楔型の電波吸収体本体として形成されており、他の１枚の成型体が電波吸収体本体の内側より配置されて底板として形成してあることを特徴とする、電波吸収体。
【請求項５】
請求項１に記載の電波吸収体において、
成型体の折り曲げ個所の結合は、シート状の材料で結合してあることを特徴とする、電波吸収体。
【請求項６】
請求項１に記載の電波吸収体において、
ピラミッド型或いは楔型の電波吸収体本体と底板を有し、電波吸収体本体は、底板に対して、樹脂製又は非金属製のピンで取り外し可能に取り付けられることを特徴とする、電波吸収体。
【発明の詳細な説明】
【技術分野】
【０００１】
本発明は、電波暗室など電波を吸収する場所に配置される電波吸収体に関するものである。
【背景技術】
【０００２】
ピラミッド型や楔型の充填タイプの電波吸収体は、重量が重く、また、嵩張るため輸送コストがかかっていた。これに対して、中空タイプで組み立て型の電波吸収体は、軽量でかつ折り畳んだ状態で輸送できるために輸送コストが軽減できるが、組立の際、接着剤や粘着材を使用するために手間がかかっていた（特許文献１又は２参照）。又は、電波暗室の使用中に供試体や台車などがぶつかり、電波吸収体を破損することがあり、破損した電波吸収体を簡単に交換することができなかった。
【特許文献１】特開平１１−８７９７８号公報
【特許文献２】特開平２００１−１２７４８３号公報
【発明の開示】
【発明が解決しようとする課題】
【０００３】
解決しようとする問題点は、施工現場で簡単に組み立てることが可能な電波吸収体を提供することにある。又は、輸送コストが軽減できる電波吸収体を提供することにある。又は、組み立に際し接着剤や粘着材を使用しない電波吸収体を提供することにある。又は、破損の際に電波吸収体本体を簡単に交換できる電波吸収体を提供することにある。
【課題を解決するための手段】
【０００４】
本発明は、接着剤や粘着材を使用することなく、多角形形状を持つ板状の成型体を組み立ててピラミッド型或いは楔型に形成してある、電波吸収体にある。
【発明の効果】
【０００５】
本発明の電波吸収体は、施工現場で簡単に組み立てることが可能な電波吸収体を提供することができる。又は、輸送コストが軽減できる電波吸収体を提供することができる。又は、組み立に際し接着剤や粘着材を使用しない電波吸収体を提供することができる。又は、破損の際に電波吸収体本体を簡単に交換できる電波吸収体を提供することができる。
【発明を実施するための最良の形態】
【０００６】
＜１＞電波吸収体
電波吸収体は、電波吸収能力があり、多角形形状を持つ板状の成型体を、接着剤や粘着材を使用することなく、嵌め合わせ、又はピン止めにより機械的に組み立ててピラミッド型或いは楔型の電波吸収体本体を形成し、この電波吸収体本体を底板に固定して作成される。組立に接着剤を使用しないために、電波吸収体本体が破損した場合、電波吸収体本体を底板から分離し、簡単に交換することができる。
【０００７】
＜２＞多角形形状の成型体
多角形形状の成型体は、三角形、四角形など多角形の型を有し、ピラミッド型或いは楔型を形成するものである。成型体の組立は、嵌め合わせ、又は、ピン止めで結合される。成型体は、ピラミッド型或いは楔型の形状を形成するための電波吸収体本体用と、固定のための底板用とがあり、板状やボード状である。
【０００８】
電波吸収体本体用は、特に電波を吸収できるものがよく、ポリスチロール、ポリスチレン、ポリウレタンなどのプラスチック材料を使用し、その内部にカーボン、金属性微粒子、又は金属性繊維などを少なくとも１種類含有させる。成型体の片面又は両面の表面に導電性シート、導電膜などの導電層を形成する。材料として、特に、発泡スチロール、発泡スチレン、発泡ウレタンなど使用する。底板用の材料は、電波吸収体本体用と同じものでもよく、又は、電波吸収性が無いもの又は小さいものでも良い。また、成型体は、不燃性若しくは準不燃性が好ましい。
【０００９】
嵌め合わせのために、成型体の端部など所定の個所に凸状形状また突起などが形成された突起部を設ける。また、成型体の端部など所定の個所に、溝、穴、孔、凹状形状また切り欠きなどが形成された溝部を設ける。突起部を溝部に嵌め込むことにより、複数の成型体を結合することができる。
【００１０】
ピン止めのためには、一方の成型体に穴を開け、他方の成型体にピンが固定されるものが好ましい。電波吸収体本体を底板に固定する場合、底板は、ピンがしっかりと固定されるものがよく、例えば発泡体が好ましい。ピンは、電波が反射し難いものが好ましく、樹脂製や非金属性がよい。ピンは、先端部が開くなど、抜け難い構造を有するとよい。
【００１１】
ピラミッド型或いは楔型の先端部に先端部カバーを取り付けるとよい。先端部カバーは、先端部を覆ったり、楔型の先端部を保護し、また、隣接した成型体が開かないように固定することができる。先端部カバーは、電波が反射し難い材質が好ましく、樹脂製や非金属性がよい。
【００１２】
＜３＞成型体の折り曲げ
成型体を折り曲げてピラミッド型或いは楔型を形成する場合、成型体を折り曲げる個所にシート状の材料を設けておく。シート状の材料は、例えば、布、紙、クロスなどが使用できる。成型体の表面又は裏面にシート状の材料を貼り付け、折り曲げられた成型体がシート状の材料で連結される。
【実施例】
【００１３】
＜１＞実施例１
電波吸収体の実施例１を図１に示す。図１の電波吸収体本体１は、ピラミッド型と楔型の混合した形状を有している。電波吸収体本体１は、２枚の三角形の成型体２と２枚の変形した変形六角形２を組み合わせて作成される。電波吸収体本体１は、三角形の成型体２の突起部２１と変形六角形の成型体２の溝部２２とを嵌め合わせて組み立てられる。２枚の変形六角形の成型体２の接触部には、先端部カバー４で覆うとよい。先端部カバー４により電波吸収体本体１の先端部が保護さえれると共に、２枚の変形六角形の成型体２の拡がりを阻止し、２枚の変形六角形の成型体２を固定することができる。
【００１４】
電波吸収体本体１の下方の開口部から底板３を入れ、電波吸収体本体１の下部に嵌め込む。底板３を電波吸収体本体１の内部の所定位置において、ピン５で底板３と電波吸収体本体１とを固定する。ピン５を外せば、簡単に、底板３と電波吸収体本体１とを分離することができる。図１の底板３は、発泡体などの厚手の成型体２を使用した例を示している。この場合、ピン５が容易に底板３の端部に挿入することができる。底板３は、後述するように、薄手の成型体２を使用することもできる。
【００１５】
＜２＞実施例２
電波吸収体の実施例２を図２に示す。図２の電波吸収体本体１は、実施例１の電波吸収体１を２個並べた形状を有している。３個以上並べた形状にすることもできる。電波吸収体本体１は、４枚の三角形の成型体２と複雑な多角形の成型体２を組み合わせて作成される。この際、各成型体２の対応する突起部２１と溝部２２を嵌合する。電波吸収体本体１の２箇所の先端部には各々先端部カバー４を取り付ける。電波吸収体本体１の下方の開口部から底板３を嵌め込み、ピン５で相互に固定する。
【００１６】
＜３＞実施例３
電波吸収体の実施例３を図３に示す。図３の電波吸収体本体１は、ピラミッド型の電波吸収体１を形成する。電波吸収体本体１は、１枚の多角形の成型体２を折り曲げて作成される。この際、成型体２の対応する突起部２１と溝部２２を嵌合する。成型体２の折り曲げ個所には、溝を形成したり、シート状の材料を張っておくとよい。電波吸収体本体１の下方の開口部から底板３を嵌め込み、ピン５で相互に固定する。底板３は、薄手の成型体２とし、端部を折り曲げて曲げ固定部３１を形成し、そこにピン５が係止できるようにする。曲げ固定部３１は、電波吸収体本体１を固定できればよく、例えば、辺部の２辺乃至４辺に形成する。
【００１７】
＜４＞実施例４
電波吸収体の実施例４を図４に示す。図４の電波吸収体本体１は、楔型の電波吸収体１を形成する。電波吸収体本体１は、１枚の多角形の成型体２を折り曲げて作成される。この際、成型体２の対応する突起部２１と溝部２２を嵌合する。成型体２の折り曲げ個所には、溝を形成したり、シート状の材料を張っておくとよい。電波吸収体本体１の下方の開口部から底板３を嵌め込み、ピン５で相互に固定する。底板３は、薄手の成型体２とし、端部を折り曲げて曲げ固定部３１を形成し、そこにピン５が係止できるようにする。
【図面の簡単な説明】
【００１８】
【図１】本発明の電波吸収体の実施例１の説明図。
【図２】本発明の電波吸収体の実施例２の説明図。
【図３】本発明の電波吸収体の実施例３の説明図。
【図４】本発明の電波吸収体の実施例４の説明図。
【符号の説明】
【００１９】
１・・・電波吸収体本体
２・・・成型体
２１・・突起部
２２・・溝部
３・・・底板
３１・・曲げ固定部
４・・・先端部カバー
５・・・ピン
【図１】
2005109161.tif 000003
【図２】
2005109161.tif 000004
【図３】
2005109161.tif 000005
【図４】
2005109161.tif 000006